(57)【要約】【課題】耐応力性が向上した、特には伝動機構部品および／またはブレーキディスクを備えるディスクホイールタイプ又はスパイダーホイールタイプの自転車の車輪を提供する。【解決手段】ハブと、半径方向外側のタイヤ連結領域（２６）、第１の側壁（５２）および第２の側壁（５４）を含むリム（１４）と、ハブ及びリム（１４）と一体化され、テンション付与されている一対のディスクホイールタイプ又はスパイダーホイールタイプの構造部材と、を備える。車輪（１０）は、回転軸および正中面を有する車輪（１０）とする。正中面（Ｐ）に対する車輪（１０）の両側において、第１の側壁（５２）は、伝動機構部品又はブレーキディスクがハブに設けられる第１の側（Ａ）に延在し、第２の側壁（５４）は反対側に延在する。第１の側壁（５２）は、第２の側壁（５４）よりも正中面（Ｐ）からの最小距離が短い。【選択図】図６
2017206233.tif 000002
【特許請求の範囲】
【請求項１】
ディスクホイールタイプ又はスパイダーホイールタイプの自転車の車輪（１０，５１０，６１０，７１０，８１０）であって、
・ハブ（１２，５１２，６１２，７１２，８１２）と；
・半径方向外側のタイヤ連結領域（２６，１２６，２２６，３２６，４２６，５２６，６２６，７２６，８２６）と、
第１の側壁（５２，１５２，２５２，３５２，４５２，５５２，６５２，７５２，８５２）と、
第２の側壁（５４，１５４，２５４，３５４，４５４，５５４，６５４，７５４，８５４）を有するリム（１４，１１４，２１４，３１４，４１４，５１４，６１４，７１４，８１４）と；
・前記ハブ（１２，５１２，６１２，７１２，８１２）及び前記リム（１４，１１４，２１４，３１４，４１４，５１４，６１４，７１４，８１４）と一体化され、予めテンションを付与された、一対のディスクホイールタイプ又はスパイダーホイールタイプの構造部材（１６，１１６，２１６，３１６，４１６，５１６，６１６，７１６，８１６；１８，１１８，２１８，３１８，４１８，５１８，６１８，７１８，８１８）と
を備え、
・該車輪（１０，５１０，６１０，７１０，８１０）が、回転軸（Ｚ）と、前記半径方向外側領域（２６，１２６，２２６，３２６，４２６，５２６，６２６，７２６，８２６）の軸方向中間点、及び前記ハブ（１２，５１２，６１２，７１２，８１２）の軸方向中間点上にあって、前記回転軸（Ｚ）と直交して延在する正中面（Ｐ）とを有し、
・前記第１の側壁（５２，１５２，２５２，３５２，４５２，５５２，６５２，７５２，８５２）は、該車輪（１０，５１０，６１０，７１０，８１０）の前記正中面（Ｐ）に対する片側である第１の側（Ａ）に延在し、該第１の側（Ａ）において、伝動機構部品またはそれがない場合にはディスクブレーキが前記ハブ（１２，５１２，６１２，７１２，８１２）に設けられており、前記第２の側壁(５４，１５４，２５４，３５４，４５４，５５４，６５４，７５４，８５４）は、前記正中面（Ｐ）に対する反対側に延在する車輪（１０，５１０，６１０，７１０，８１０）において、
・前記正中面（Ｐ）からの最小距離（ｄmin）は、前記リム（１４，１１４，２１４，３１４，４１４，５１４，６１４，７１４，８１４）の前記第１の側壁（５２，１５２，２５２，３５２，４５２，５５２，６５２，７５２，８５２）の方が、前記リム（１４，１１４，２１４，３１４，４１４，５１４，６１４，７１４，８１４）の前記第２の側壁（５４，１５４，２５４，３５４，４５４，５５４，６５４，７５４，８５４）よりも短いことを特徴とする、車輪（１０，５１０，６１０，７１０，８１０）。
【請求項２】
請求項１に記載の車輪（１０，５１０，６１０，７１０，８１０）において、前記リム（１４，１１４，２１４，４１４，５１４，６１４，７１４，８１４）が、さらに、前記側壁（５２，１５２，２５２，４５２，５５２，６５２，７５２，８５２；５４，１５４，２５４，４５４，５５４，６５４，７５４，８５４）間に延びる半径方向内側壁（６８，１６８，２６８，４６８，５６８，６６８，７６８，８６８）を有する、車輪（１０，５１０，６１０，７１０，８１０）。
【請求項３】
請求項２に記載の車輪（１０，８１０）において、前記リム（１４，２１４，４１４，８１４）の前記半径方向内側壁（６８，２６８，４６８，８６８）の、前記第１の側壁（５２，２５２，４５２，８５２）の側における曲率半径（Ｒ1，Ｒ4）が、前記第２の側壁（５４，２５４，４５４，８５４）の側における曲率半径（Ｒ2，Ｒ5）よりも短い、車輪（１０，８１０）。
【請求項４】
請求項２に記載の車輪（１１０）において、前記リム（１１４）の前記半径方向内側壁（１６８）の、前記第１の側壁（１５２）の側における曲率半径（Ｒ3）が前記第２の側壁（１５４）の側と同じである、車輪（１１０）。
【請求項５】
請求項１から４のいずれか一項に記載の車輪（１０，８１０）において、前記第１の側壁（５２，１５２，２５２，３５２，４５２，８５２）および前記第２の側壁（５４，１５４，２５４，３５４，４５４，８５４）が、それぞれ、前記一対の片方の構造部材（１６，１１６，２１６，３１６，４１６，８１６；１８，１１８，２１８，３１８，４１８，８１８）と連結する半径方向内側領域（６０，１６０，２６０，３６０，４６０，８６０；６２，１６２，２６２，３６２，４６２，８６２）を有し、
前記第１の側壁（５２，１５２，２５２，３５２，４５２，８５２）の前記連結領域（６０，１６０，２６０，３６０，４６０，８６０）の、前記正中面（Ｐ）からの距離（ｄ1，ｄ2，ｄ5，ｄ6，ｄ7，ｄ8，ｄ9，ｄ10，ｄ11，ｄ12，ｄ13）が、前記第２の側壁（５４，１５４，２５４，３５４，４５４，５５４，６５４，７５４，８５４）の前記連結領域（６２，１６２，２６２，３６２，４６２，８６２）の、前記正中面（Ｐ）からの距離（ｄ3，ｄ4）に対し、
これら連結領域（６０，１６０，２６０，３６０，４６０，８６０；６２，１６２，２６２，３６２，４６２，８６２）の前記回転軸（Ｚ）からの半径方向距離が最大となる位置を除き、全ての半径方向距離の位置において短い、
車輪（１０，８１０）。
【請求項６】
請求項１から５のいずれか一項に記載の車輪（１０，８１０）において、前記第２の側壁（５４，１５４，２５４，３５４，４５４，８５４）の前記構造部材（１８，１１８，２１８，３１８，４１８，８１８）と連結する領域の、前記正中面（Ｐ）からの距離（ｄ3，ｄ4）は、前記回転軸（Ｚ）からの半径方向距離が減少するにつれて増加し、より好ましくは一様に増加する、車輪（１０，８１０）。
【請求項７】
請求項１から６のいずれか一項に記載の車輪（１０，８１０）において、前記第１の側壁（５２，１５２，３５２，８５２）の前記構造部材（１８，１１８，３１８，８１８）と連結する領域（６０，１６０，３６０，８６０）の、前記正中面（Ｐ）からの距離（ｄ1，ｄ2，ｄ11，ｄ12，ｄ13）は、前記回転軸（Ｚ）からの半径方向距離が減少するにつれてまず減少してから増加し、より好ましくは一様に増加する、車輪（１０，８１０）。
【請求項８】
請求項１から６のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）の、前記回転軸（Ｚ）からの半径方向距離最小の位置における、前記正中面（Ｐ）からの距離（ｄ2，ｄ6，ｄ10，ｄ13）が、前記第１の側壁（５２，１５２，３５２，４５２，８５２）の該連結領域（６０，１６０，３６０，４６０，８６０）の、前記回転軸（Ｚ）からの該第１の側壁（５２，１５２，３５２，４５２，８５２）の該連結領域（６０，１６０，３６０，４６０，８６０）の半径方向距離大の位置における、前記正中面（Ｐ）からの距離（ｄ1，ｄ7，ｄ11）よりも短い、車輪（１０，８１０）。
【請求項９】
請求項１から８のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）の、前記正中面（Ｐ）からの距離（ｄ1，ｄ7，ｄ11）が、前記回転軸（Ｚ）からの該第１の側壁（５２，１５２，３５２，４５２，８５２）の該連結領域（６０，１６０，３６０，４６０，８６０）の半径方向距離大の位置において最大となる、車輪（１０，８１０）。
【請求項１０】
請求項１から９のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）が、円錐台形からはなれた形状を有する、車輪（１０，８１０）。
【請求項１１】
請求項１から１０のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）は、該連結領域（６０，１６０，３６０，４６０，８６０）の少なくとも２つの箇所における法線（ｎ1，ｎ2，ｎ7，ｎ8）が該連結領域（６０，１６０，３６０，４６０，８６０）の前記第２の側壁（５４，１５４，３５４，４５４，８５４）に面していない側である外表面の側で収束するように円錐台形からはなれた形状をとる、車輪（１０，８１０）。
【請求項１２】
請求項１から１１のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）が、凹部（４９６）を有するか又は全体として凹形（６０，１６０，３６０，８６０）である、車輪（１０，８１０）。
【請求項１３】
請求項１から１２のいずれか一項に記載の車輪（１０）において、前記第１の側壁（５２，１５２，２５２，３５２，４５２）および前記第２の側壁（５４，１５４，３５４，４５４，８５４）のそれぞれが、半径方向外側の制動領域（５６，１５６，２５６，３５６，４５６；５８，１５８，２５８，３５８，４５８）を有する、車輪（１０）。
【請求項１４】
請求項１から１３のいずれか一項に記載の車輪（１０）において、前記第１の側壁（２５２）が、半径方向外側の制動領域（２５６）と、前記構造部材（２１６）と連結する半径方向内側領域（２６０）と、および両者の間の接続領域（２９２）とを有し、該接続領域（２９２）が、前記構造部材（２１６）と連結する前記領域（２６０）よりも大きい壁厚を有する、車輪（１０）。
【請求項１５】
請求項１から１４のいずれか一項に記載の車輪（１０，８１０）において、前記第１の側壁（５２，１５２，３５２，４５２，８５２）の前記構造部材（１６，１１６，３１６，４１６，８１６）と連結する領域（６０，１６０，３６０，４６０，８６０）が、凹形の外表面を有する湾曲した半径方向外側領域（８８，１８８，３８８，４８８，８８８）を有する、車輪（１０，８１０）。
【請求項１６】
請求項１から１５のいずれか一項に記載の車輪（１０，５１０，６１０，７１０，８１０）において、前記一対のうち、該車輪（１０，５１０，６１０，７１０，８１０）の前記第１の側（Ａ）において前記ハブ（１２，５１２，６１２，７１２，８１２）と前記リム（１４，１１４，３１４，４１４，５１４，６１４，７１４，８１４）との間に延在する前記構造部材（１６，１１６，３１６，４１６，５１６，６１６，７１６，８１６）が、該構造部材（１６，１１６，３１６，４１６，５１６，６１６，７１６，８１６）の周縁領域に、前記第１の側壁（５２，１５２，２５２，３５２，４５２，５５２，６５２，７５２，８５２）の連結領域（６０，１６０，２６０，３６０，４６０，５６０，６６０，７６０，８６０）の形状と適合する形状を有するように凹部（４９８）又は立ち上がり部（９０，１９０，３９０，５９０，６９０，７９０，８９０）を有する、車輪（１０，５１０，６１０，７１０，８１０）。
【請求項１７】
請求項１から１６のいずれか一項に記載の車輪（１０，５１０，６１０，７１０，８１０）において、前記リム（１４，１１４，２１４，３１４，４１４，５１４，６１４，７１４，８１４）の前記半径方向外側領域（２６，１２６，２２６，３２６，４２６，５２６，６２６，７２６，８２６）が、テンション付与部材（３８）用の複数の取付座部（５０）を有し、かつ、前記リム（１４，１１４，２１４，３１４，４１４，５１４，６１４，７１４，８１４）の半径方向内側壁（６８，１６８，２６８，４６８，５６８，６６８，７６８，８６８）が存在する場合には、これが、前記テンション付与部材（３８）用の複数の挿通口（７０；７１）を有し、前記テンション付与部材（３８）は、完成品としての該車輪（１０，５１０，６１０，７１０，８１０）には存在していない、車輪（１０，５１０，６１０，７１０，８１０）。
【請求項１８】
請求項１から１７のいずれか一項に記載の車輪（１０，５１０，６１０，７１０，８１０）において、該車輪（１０，５１０，６１０，７１０，８１０）の前記第１の側（Ａ）における前記構造部材（１６，１１６，２１６，３１６，４１６，５１６，６１６，７１６，８１６）が、該車輪（１０，５１０，６１０，７１０，８１０）の前記第２の側（Ｂ）における前記構造部材（１８，１１８，２１８，３１８，４１８，５１８，６１８，７１８，８１８）よりも大きい厚みを有する、車輪（１０，５１０，６１０，７１０，８１０）。
【請求項１９】
請求項１から１８のいずれか一項に記載の車輪（１０，５１０，６１０，７１０，８１０）において、該車輪（１０，５１０，６１０，７１０，８１０）の前記第１の側（Ａ）における前記構造部材（１６，１１６，２１６，３１６，４１６，５１６，６１６，７１６，８１６）が、該車輪（１０，５１０，６１０，７１０，８１０）の前記第２の側（Ｂ）における前記構造部材（１８，１１８，２１８，３１８，４１８，５１８，６１８，７１８，８１８）よりも多数の、複合材料層を含む、車輪（１０，５１０，６１０，７１０，８１０）。
【請求項２０】
ディスクホイールタイプ又はスパイダーホイールタイプの自転車の車輪（１０，５１０，６１０，７１０，８１０）の製造方法であって、
ａ）ハブ（１２，５１２，６１２，７１２，８１２）およびリム（１４，１１４，２１４，３１４，４１４，５１４，６１４，７１４，８１４）を用意する工程と、
ｂ）前記リム（１４，１１４，２１４，３１４，４１４，５１４，６１４，７１４，８１４）を前記ハブ（１２，５１２，６１２，７１２，８１２）に向かって加圧して前記リム（１４，１１４，２１４，３１４，４１４，５１４，６１４，７１４，８１４）を弾性変形させる工程と、
ｃ）一対のディスクホイールタイプ又はスパイダーホイールタイプの構造部材（１６，１１６，２１６，３１６，４１６，５１６，６１６，７１６，８１６；１８，１１８，２１８，３１８，４１８，５１８，６１８，７１８，８１８）を前記ハブ（１２，５１２，６１２，７１２，８１２）及び前記リム（１４，１１４，２１４，３１４，４１４，５１４，６１４，７１４，８１４）と一体化させる工程と、
ｄ）工程ｂ）で前記リム（１４，１１４，２１４，３１４，４１４，５１４，６１４，７１４，８１４）に加えられた前記加圧を解除する工程と、
をこの順番で備え、前記工程ｂ）が、前記ハブ（１２，５１２，６１２，７１２，８１２）と前記リム（１４，１１４，２１４，３１４，４１４，５１４，６１４，７１４，８１４）との間に複数のテンション付与部材（３８）を延在させ、それらにテンション付与するステップとを含み、前記工程ｄ）が、前記テンション付与部材（３８）を取り外すステップを含む、製造方法において、
前記工程ｂ）で、前記テンション付与部材（３８）が、前記ハブ（１２，５１２，６１２，７１２，８１２）と前記リム（１４，１１４，２１４，３１４，４１４，５１４，６１４，７１４，８１４）の半径方向外側壁（２６，１２６，２２６，３２６，４２６，５２６，６２６，７２６，８２６）との間にさしわたされることを特徴とする、製造方法。
【発明の詳細な説明】
【技術分野】
【０００１】
本発明は、自転車の車輪およびその製造方法に関する。具体的には、本発明は、スポークを代替する一対のディスク形状の部材を備えた種類の、自転車のディスクホイール（ディスク型車輪）（レンチキュラーホイールとしても知られる）、およびスポークではなく少数（３〜５個程度）の剛体部材（ハブとリムとの一体品として形成されるか又はハブとリムとに取外し不能に固定される剛体部材）がリムとハブとを接続するスパイダーホイール（スパイダー型車輪）に関する。なおスポークドホイール（スポーク付車輪）は、これと逆にスポークが取外し可能に固定されており、テンション（張力）が調節可能な物である。
【背景技術】
【０００２】
射出又は圧縮成形による複合材料製のスパイダーレッグを備える、自転車の車輪が知られている。例えば、特許文献１には、自転車の複合材料製のスパイダーホイールの製造方法であって、繊維のフィラメントが膨張可能なマンドレルに巻き付けられ、金型内において、該マンドレルが膨張し、熱硬化性又は熱可塑性樹脂マトリクスが凝固する前に、その繊維に予め応力を付与する、製造方法が開示されている。
【０００３】
また、スポークドホイールと該スポークドホイールの外側に設置された一対のディスクとを備える、自転車のディスクホイールも知られている。ここでは、機械的応力は、スポークに負荷され、ディスクは美観上及び空気力学上の理由のためだけに設けられていて、構造的な機能は持たない。
【０００４】
特許文献２には、自転車のスポークドホイールのリムであって、制動性能向上を目的として側壁を備えた対称的な断面を有し、各側壁が外向凹である半径方向内側部および、外向凸である半径方向外側部を有する、リムが開示されている。
【０００５】
特許文献３には、スポーク取付座部に補強材料を有する自転車のスポークドホイールが開示されている。後輪の場合、非対称のプロファイルを有すリムが図示されているが、それ以上の詳細は記載されていない。
【０００６】
特許文献４には、ハブと、完全に非対称なカーボン繊維製のリムと、前記ハブを前記リムに接続する複数の、対称的な左側及び右側のスポークとを備える、自転車の車輪であって、前記リムが曲面状の側壁および平面状の側壁を備え、該平面状の側壁が前記曲面状の側壁より肉厚の、自転車の車輪が開示されている。同文献のリムは、伝動機構やディスクブレーキを受け入れるために、非対称の又は完全に非対称のプロファイルを備え、該プロファイルは、中央面の両側で同一のキャンバー角をとり得るように構成され、両側のスポークが同一の長さと張力を有することを可能にしている。曲面状の側壁は伝動機構側に配置され、平面状の側壁はその反対側に配置される。曲面状の側壁は、該リムから外向の凸面をなす。
【０００７】
特許文献５には、自転車のスポークドホイールのリムであって、両側でほぼ同一のキャンバー角をとることができ、良好な空気力学的性能が得られるように、イタリック体Ｖ字状の断面を有するリムが開示されており、該リムでは、伝動機構側の側壁がリムの外側に面した凹面を備えている。下部ブリッジは、車輪の非伝動機構側に、顕著に偏在し、この側全体に延在している。スポークがリムと係止する係止面は、非伝動機構側の、タイヤ溝のエッジにほぼ沿って配列している。
【０００８】
ディスク型やスパイダーホイールの場合でも、車輪に伝動機構部品および／またはディスクブレーキのディスクが設けられている場合には、ディスク状の部材やスパイダーレッグアセンブリは、車輪の両側において相異なったキャンバー角で配置されるので、相異なった剛性を有し、これにより相異なる耐応力性を有する。
【０００９】
特許文献６には、ハブと、リムと、前記ハブとリムを接続する接続手段を備えた自転車の車輪を構築する方法であって、
・半径方向の繊維で強化された合成樹脂からなる２つの傾斜した側壁で、前記接続手段を形成する工程と、
・前記側壁を、前記ハブと前記リムとに強固に係止する工程と、
・前記ハブとリムの間の前記側壁にテンションを付与する工程と、
・樹脂を予め含浸された繊維布帛からなる三角形の部材を金型上に並べて重ね、外向きに凸のエッを有する円錐台を得て、所望の傾きを有する各側壁を形成する工程と、
・前記各側壁の中央部に、前記ハブの対応フランジに接続するカウンターフランジを設置する工程と、
・前記リムを、その半径が所望の程度に減少するまで、加圧する工程と、
・前記側外向き凸のエッジで、前記加圧下のリムを包んで固定することにより、前記２つの側壁を前記加圧下のリムに取り付ける工程と、
・前記リムの加圧状態を維持しながら前記樹脂を重合させる工程と、
・前記リムから前記加圧を取り除く工程と、
・前記フランジと前記カウンターフランジを相互に離間する形で接続することにより、前記ハブを車輪に挿入する工程と、
を備える方法が開示されている。
【００１０】
一実施形態によれば、前記２つの側壁は、予め最終形状を付与された後、個別にリムの一部をなすチューブに連結される。この場合、半径方向に配された繊維を含む三角形の布帛部材は、所望のキャンバー角に応ずる円錐形の丸い金型に、部分的に重なりながら並べて配置され、円錐台の形状が得られる。その底面は、接着されるリムの外周に対応しており、中央部には、ハブのフランジに機械的に連結するために、カウンターフランジが設けられる。円錐台底部の直径は、直径の増加により所望の引張条件を得るために必要な分だけ、最終的につり合いのとれた直径より短くなっている。両方の側壁は、このような形状下で、樹脂の重合が行われた後、ハブとリムに組み付けられる。一方の側壁をハブに固定した後、半径方向内向に作用するように配置された一組のピストンを用い、リムは半径方向に加圧されて半径が減少されるが、その量は、リムの弾性復元時に、加圧されたリムと、張力のかかった二つの側壁の間で、予め計算されたバランス条件を得るために必要な、変形量に対応している。このような形態のリムでは、側壁は、円環状の接触領域をリムに上に延在させることができる。次いで、第２の側壁が、ハブの第２のフランジに設置・固定される。側壁の周縁全体がリムに接着された後、ピストンが解除される。系全体は、リムの直径増加により生じる側壁径の拡張により、予定された均衡状態に到達する。二つの側壁のキャンバー角は異なるものであってもよく、その場合、２つの側壁が発揮すべき牽引力は異なり、傾きの小さい側壁は力が大きくなるので、二つの側壁に用いられる繊維布帛層の数は異なってもよい。特許文献６に記載されたリムは、２つの側壁が係止される円環体（円形に巻かれた軽合金製チューブの形をとる）と、同じく円形に巻かれ、前記チューブの外側に連結された溝部とを備える。
【００１１】
本願の出願人は、このような文献の、２部構成のリムは十分な強度を示さないことに気付いた。その上、ピストンによるリムの加圧には、高価な装置を必要とする。さらに、この加圧は、リムの外側からかけられ、リムの周縁に均等に印加されることから、加圧の解除後に側壁の様々な部分が取るべき引張状態を十分にシミュレートするものではない。
【００１２】
特許文献７では、極めて高い耐応力性を示し、ハブとリムとの芯合わせ及びリムの円形度に関して正確な形状を維持するディスクホイール又はスパイダーホイールを製造するため、ディスク又はスパイダーレッグに予備テンションが付与される。
【００１３】
具体的には、特許文献７は、最近接先行技術文献であると見られ、自転車のディスクホイール又はスパイダーホイールを製造する方法であって、
ａ）ハブおよびリムを用意する工程と、
ｂ）前記リムに前記ハブに向かって加圧し、リムを弾性変形させる工程と、
ｃ）少なくとも１つのディスクホイールタイプ又はスパイダーホイールタイプの構造部材を前記ハブ及び前記リムと一体化させる工程と、
ｄ）工程ｂ）でリムにかけられ加圧を解除する工程と、
をこの順番で備える、方法が記載されている。
【００１４】
特許文献７では、リムがハブに向かって圧縮されている状態でディスクホイールタイプ又はスパイダーホイールタイプの部材をハブ及びリムと一体化させ、その後に加圧を解除することにより、ディスクホイールタイプ又はスパイダーホイールタイプの部材がテンションを維持するので、ディスクホイールタイプ又はスパイダーホイールタイプの部材は、従来のスポークドホイールにおけるテンションを付与されたスポークに代わる構造要素としての役割を果たす。
【００１５】
具体的には、工程ｂ）でのリムの加圧は、リムの半径方向内側の位置からリムをハブに向けて引っ張り、自転車スポークからなる引張部材をハブとリムの半径方向内側壁（又は下部ブリッジ）との間にさしわたして、これらに張力をかけることにより行われる。
【００１６】
特許文献７には、リムが非対称的なプロファイルを有してもよいことが完全に概略的な表現で開示されている。
【先行技術文献】
【特許文献】
【００１７】
【特許文献１】米国特許第５５４０４８５号明細書
【特許文献２】仏国特許出願公開第２６７３８８８号明細書
【特許文献３】米国特許第７３７７５９５号明細書
【特許文献４】米国特許出願公開第２０１４／０２９２０６１号明細書
【特許文献５】欧州特許第１４０４５３４号明細書
【特許文献６】米国特許第４８３５８５７号明細書
【特許文献７】欧州特許出願公開第２６７４３０４号明細書
【発明の概要】
【発明が解決しようとする課題】
【００１８】
本発明は、このようなディスクホイールタイプ又はスパイダーホイールタイプの車輪の耐応力性、特に、コグセットなどの伝動機構部品および／またはブレーキディスクを備える車輪の耐応力性を、さらに向上させることを基本的な技術課題とする。
【課題を解決するための手段】
【００１９】
一態様において、本発明は、ディスクホイールタイプ又はスパイダーホイールタイプの自転車車輪であって、
ハブと、
半径方向外側のタイヤ連結領域、第１の側壁および第２の側壁を有するリムと、
前記ハブ及び前記リムと一体化した、一対のディスクホイールタイプ又はスパイダーホイールタイプの、予めテンション（引張応力）を付与された構造部材と
を備え、
該車輪は回転軸と、前記半径方向外側領域の軸方向中間点、及び前記ハブの軸方向中間点において、前記回転軸と直交して延在する正中面（メディアン面）とを備え、
前記第１の側壁は、前記正中面に対する車輪の両側のうち、伝動機構部品又は、これが無いときにはディスクブレーキのディスクが前記ハブに設けられる、第１の側に延在しており、前記第２の側壁が、前記正中面に対して反対側に延在する、車輪に関する。
【００２０】
前記リムの前記第１の側壁の、前記正中面からの最小距離は、前記リムの前記第２の側壁よりも短い。
【００２１】
前記距離は、前記第１の側壁、または第２の側壁の、外表面から測定される距離を意味する。
【００２２】
前記半径方向外側領域は、周知の様式により、チューブレス、クリンチャー又はチューブラータイヤ車輪のタイヤ連結溝として構成することができる。
【００２３】
上記構成によれば、伝動機構および／またはブレーキのディスクに支障がある前記第１の側における構造部材を、前記第２の側の構造部材のキャンバー角に近い適切なキャンバー角で配置することができる。これによって、前記第１の側におけるハブへの、具体的にはハブのフランジへの取付位置が、前記第２の側におけるハブへの又はハブのフランジへの取付位置よりも、前記正中面に近いにもかかわらず、前記車輪に十分な強度を与える。
【００２４】
前記構造部材における予め付与されたテンションの存在は、例えば、この構造部材に切込みを入れ、切込みの縁同士が離れるか否か、および／または前記リムの形状の円形度が低下するか否か、および／または前記リムと前記ハブとが互いに偏心するか否かをチェックすることによって確認することができる。
【００２５】
実施形態において、前記リムは、さらに、前記側壁間に延びる半径方向内側壁を含んでもよい。
【００２６】
一実施形態において、前記リムの半径方向内側壁の曲率半径は、前記第１の側壁の側の曲率半径が、前記第２の側壁の側における曲率半径よりも短い。
【００２７】
一実施形態において、前記リムの半径方向内側壁は、前記第１の側壁の側における曲率半径が前記第２の側壁の側と同じである。
【００２８】
前記半径方向内側壁のこれらの曲率半径は、適宜選択される。前記リムの半径方向内側領域はその曲率半径の数値が大きければ大きいほど、比較的丸みを帯びた部位を有することになり、複合材料の繊維がより良好に作用する。反対に、前記リムのこの半径方向内側壁の曲率半径の数値が小さいほど、断面がより扁平な形状となり、より良好な側方強度を有する。
【００２９】
好ましくは、前記第１の側壁および前記第２の側壁は、それぞれ、前記一対の構造部材の一方と連結する半径方向内側領域を有する。連結領域の回転軸からの半径方向距離が最大となる位置をのぞき、前記回転軸からのすべての半径方向距離の箇所において、前記第１の側壁の連結領域の、前記正中面からの距離は、前記第２の側壁の連結領域の、前記正中面からの距離よりも短い。
【００３０】
好ましくは、第２の側壁の連結領域の、正中面からの距離は、前記回転軸からの半径方向距離が減少するにつれて増加し、より好ましくは一様に増加する。
【００３１】
好ましくは、第１の側壁の前記連結領域の、正中面からの距離は、前記回転軸からの半径方向距離が減少するにつれてまず減少してから増加し、より好ましくは一様に増加する。
【００３２】
好ましくは、第１の側壁の連結領域の、前記回転軸からの半径方向距離最小の位置における、前記正中面からの距離は、該第１の側壁の連結領域の、前記回転軸からの半径方向距離大の位置における、前記正中面からの距離よりも短い。
【００３３】
好ましくは、前記第１の側壁の連結領域の、前記正中面からの距離は、該第１の側壁の連結領域の前記回転軸からの半径方向距離が最大となる箇所において最大である。
【００３４】
前記第１の側壁の前記構造部材と連結する領域は、円錐台形からはなれた形状を有することが好ましい。
【００３５】
より好ましくは、前記第１の側壁の構造部材と連結する領域は、該連結領域の少なくとも２つの箇所における法線が、該連結領域の前記第２の側壁に面さない側の外表面側で収束するように、円錐台形からはなれた形をとる。
【００３６】
よってつまり、前記第１の側壁が前記構造部材と連結する領域は、凹部を有するか又は全体として凹状である。
【００３７】
前記第１の側壁および前記第２の側壁は、それぞれ、半径方向外側の制動領域を有することが好ましい。
【００３８】
前記第１の側壁は、前記半径方向外側の制動領域、構造部材と連結する前記半径方向内側領域、および両者の間の接続領域を有することがより好ましい。
【００３９】
前記接続領域の壁厚は、前記構造部材と連結する前記領域よりも大きいことが好ましい。
【００４０】
実施形態において、前記第１の側壁の前記連結領域は、凹状の外表面を有する曲面状の半径方向外側領域を有する。
【００４１】
前記第１の側壁の前記連結領域における曲率半径は、一定であることが好ましい。
【００４２】
前記一対の構造部材のうち、車輪の前記第１の側においてハブとリムとの間に延在する構造部材は、その周縁領域に、前記第１の側壁の連結領域の形状と適合する形状を有するように凹部又は立ち上がり部を有することが好ましい。
【００４３】
当業者であれば理解するが、前記構造部材のこの形状は、該構造部材の剛性を向上させる。
【００４４】
しかも、好適なことに、前記車輪の第１の側におけるリムと前記構造部材との連結は、前記車輪の第２の側におけるリムと構造部材の連結よりも大きい面積で生じる。
【００４５】
好ましくは、スパイダーホイールタイプの構造部材の場合、スパイダーレッグが、互いに対向するように対応する角方向位置に設けられる。
【００４６】
好ましくは、本発明にかかるディスクホイール又はスパイダーホイールでは、ハブおよび／またはリムは、複数のスポーク取付座部を含むが、前記ハブと前記リムとの間に延在するスポークは存在しない。
【００４７】
具体例として、前記リムの半径方向外側領域は、テンション付与部材のために複数の取付座部を有し、前記リムの半径方向内側壁が設けられている場合には、この半径方向内側壁が、前記テンション付与部材のための複数の挿通口（挿通用開口）を有し、かつ、車輪の完成品には、前記テンション付与部材は存在しない。
【００４８】
テンション付与部材用の前記取付座部が前記正中面上で配列する一方、挿通口は前記正中面と平行な２つの平面で交互に配列しており、前記第１の側でリムとハブのフランジとの間に延在するテンション付与部材に対応する挿通口は第１の平面に配列し、前記第２の側でリムとハブのフランジとの間に延在するテンション付与部材に対応する挿通口は第２の平面に配列し、前記第１の平面は、前記第２の平面よりも前記正中面に近いことが好ましい。
【００４９】
前記ハブは、対向する面を有する前記一対のフランジを含み、前記ハブにおける複数のスポーク取付座部は、前記フランジの対向する面に穿たれていることが好ましい。
【００５０】
この構成によれば、前記フランジにおける対向していない面、すなわち、前記車輪の軸方向外側の面が、有利なことに、座部を有さず、これにより、表面全体が、前記構造部材の接着に適することになる。しかも、前記フランジの対向する面に座部を設けることにより、２つの前記構造部材の存在にかかわらず、スポークを離脱させ、取り外すことが可能となる。
【００５１】
前記ハブおよび／またはリムは、前記構造部材との接触領域に突起（projecting lug）
を有することが好ましい。このような突起により、前記ハブおよび／またはリムと前記構造部材との間に、適切な厚みの接着材料の膜を確実に形成することができる。
【００５２】
前記構造部材は、複合材料、すなわち、構造繊維により強化された高分子材料からなることが好ましい。前記構造繊維は、カーボン繊維であることが好ましいが、ガラス繊維、ボロン繊維、アラミド繊維、セラミックス繊維、またはこれらの組合せを使用してもよい。前記高分子材料は、熱硬化性タイプの物（好ましくは、熱硬化性エポキシ樹脂）が好ましいが、熱可塑性高分子材料を使用してもよい。
【００５３】
このような実施形態は、金属からなる実施形態に比べて、強度が同等でも車輪がより軽量であるという利点を奏する。
【００５４】
複合材料からなる前記構造部材は、複数の半径方向に沿って延びる繊維および／または複数の弦方向に沿って延びる繊維を含むことが好ましい。この構成によれば、前記車輪に高い強度が付与される。
【００５５】
車輪の前記第１の側における構造部材は、該車輪の前記第２の側における構造部材よりも大きな厚みを有することが好ましい。
【００５６】
これにより、キャンバー角の違いに起因する剛性の違いを補償することができる。
【００５７】
より好ましくは、車輪の前記第１の側における構造部材は、該車輪の前記第２の側における構造部材よりも多数の、複合材料層を含む。
【００５８】
車輪の前記第２の側における構造部材は、２層の二方向複合材料、およびこれらの間に配置され、半径方向に延びる（より好ましくは、角方向に均等に離間した）、一方向複合材料の層の複数の帯片（ｓｔｒｉｐｅ：以降、「パッチ」とも称される）を有することが好ましい。
【００５９】
前記車輪の前記第１の側における構造部材は、２層の二方向複合材料、およびこれらの間に配置されて且つ半径方向に延びる（より好ましくは、角方向に均等に離間した）、一方向複合材料層の複数の帯片を含み、該一方向複合材料層の複数の帯片の数は、前記車輪の第２の側における構造部材の帯片の数よりも多数である（より好ましくは、２倍である）ことが好ましい。
【００６０】
少なくとも１つの前記構造部材は、前記リムと前記ハブとに接着されていることが好ましく、二成分エポキシ樹脂により接着されていることがより好ましい。
【００６１】
別の態様において、本発明は、ディスクホイールタイプ又はスパイダーホイールタイプの自転車の車輪の製造方法であって、
ａ）ハブおよびリムを用意する工程と、
ｂ）前記リムに前記ハブに向かって加圧し、前記リムを弾性変形させる工程と、
ｃ）一対のディスクホイールタイプ又はスパイダーホイールタイプの構造部材を前記ハブ及び前記リムと一体化させる工程と、
ｄ）工程ｂ）で前記リムにかけられた加圧を解除する工程と、
をこの順番で備え、工程ｂ）が、前記ハブと前記リムとの間に複数のテンション付与部材をさしわたし（延在させ）、これらにテンションを付与することを含み、工程ｄ）が、前記テンション付与部材を取り外すことを含む、製造方法に関する。
【００６２】
工程ｂ）において、前記テンション付与部材は、前記ハブと前記リムの半径方向外側壁との間にさしわたされる。
【００６３】
よって、前記車輪の製造方法で使用されるテンション付与部材は、上述の特許文献７のようにハブとリムの半径方向内側壁との間ではなく、ハブとリムの半径方向外側壁（又はタイヤ連結溝）との間で引張される。この構成は、前記リムをハブに向かって圧縮する際に、該リムの断面の引張変形を回避しうるために好適である。リム断面の引張変形は、リムの円形度を低下させて該リムの半径方向内側壁にいわゆる「デイジー作用」を引き起こしかねず、車輪の完成品に構造部材のシワに起因する欠陥をもたらしかねない。
【００６４】
この構成は、さらに、前記半径方向内側壁の厚さ方向を補強する必要性をなくすのでコスト及び重量の観点からみて有利である。なお前記リムの半径方向外側壁（又は上ブリッジ）は、タイヤの圧力に耐えるように寸法決めされているので既に十分に強固である。
【００６５】
有利なことに、この構成により、さらに、前記テンション付与部材の取付け、および前記ディスクホイールタイプ又はスパイダーホイールタイプの構造部材が前記ハブと前記リムとに一体化された後の前記テンション付与部材の取外しをより簡単なものにすることができる。
【００６６】
この構成は、さらに、前記リムの一方の壁において、テンション付与部材用の固定座部が、同一の寸法をとることを可能とする。該リムの他方の壁により小さい開口が形成されることを可能にする。また、該リムの他方の壁に形成される開口は、テンション付与部材の締結部材ではなく、テンション付与部材自体を挿通すべきものであるので、これらの開口をより小さなものとすることができ、リムの強度低下を抑制することができる。
【００６７】
この構成によれば、テンション付与部材が幾何学的に延在する方向が、車輪の完成品において、構造部材がとる位置に良好に近似するので、車輪の完成品において、前記構造部材によりもたらされるテンションに良好に近似したテンションを、車輪の製造工程において実現することができる。
【００６８】
しかも、前記テンション付与部材は、ハブとタイヤの周縁部との間に働くテンションの理想値に近い、実質的に最適なテンションを製造時に付与する。これによって、実質的に最適なテンションが、完成品の車輪の構造部材に付与される。
【００６９】
この構成は、ハブに向かってリムを圧縮するために、特殊な装置を用意する必要性をなくし、また、スポークのテンションを個別に調整することを可能とし、その際、例えば、タイヤインフレーションバルブおよび／または金属製のリムであればリムの接合部等の不均質部分も考慮に入れながら、調整を行うことができる。
【００７０】
前記テンション付与部材は、自転車のスポークを含むことがより好ましい。
【００７１】
前記自転車のスポークは、同じハブ及び同じリムを備える自転車のスポークドホイールの場合よりも大きめに寸法設定されていることが好ましい。これによって、これらテンション付与用のスポークは、より強度がまし、テンションを付与する際の長率が小さくなる。
【００７２】
工程ｂ）は、前記加圧の際に、前記車輪の中心位置および円形度を制御するステップを含むことが好ましい。
【００７３】
工程ｃ）は、前記一対のディスクホイールタイプ又はスパイダーホイールタイプの構造部材を軸方向で対向する両側の端部から、前記ハブに挿入するステップを含むことが好ましい。
【００７４】
工程ｃ）は、前記ディスクホイールタイプ又はスパイダーホイールタイプの構造部材を前記ハブと前記リムとに接着するステップを含むことが好ましい。
【００７５】
工程ｃ）は、二成分エポキシ樹脂により接着するステップを含むことが好ましい。
【００７６】
工程ｃ）は、前記構造部材をプレス接着するステップを含むことが好ましく、構造部材をそれぞれ支持部材に取外し可能に設置した状態でプレス接着するステップを含むことがより好ましい。
【００７７】
工程ｂ）は、後の接着工程での前記リムおよび／または前記ハブにかかる応力をシミュレートするステップを含むことが好ましい。
【００７８】
工程ｄ）は、前記テンション付与部材を前記ハブのフランジにおける各座部から反対側のフランジに向けて抜き取るステップを含むことが好ましい。
【００７９】
あるいは、工程ｄ）は、前記テンション付与部材を、前記ハブのフランジにおける各座部からねじ取って取り外すステップを含んでもよい。
【図面の簡単な説明】
【００８０】
【図１】本発明の一実施形態におけるディスクホイールを示す概略図である。
【図２】図１の車輪の片半分を示す斜視図である。
【図３】図１の車輪の詳細を示す図である。
【図４】図１の車輪を示す部分断面図である。
【図５】図１の車輪の製造プロセスの工程の詳細を示す概略図である。
【図６】図１の車輪の製造プロセスの工程の他の詳細を示す概略図である。
【図７】図１の車輪の構造部材の出発材料を示す概略図である。
【図８】図１の車輪の構造部材の出発材料を示す他の概略図である。
【図９】図１の車輪のリムの断面を示すと共に、該車輪の２つの構造部材についても部分的に描いた図である。
【図１０】本発明の他の実施形態に関する、図９と同様の部分断面図である。
【図１１】本発明の他の実施形態に関する、図９と同様の部分断面図である。
【図１２】本発明の他の実施形態に関する、図９と同様の部分断面図である。
【図１３】本発明の他の実施形態に関する、図９と同様の部分断面図である。
【図１４】本発明のさらなる実施形態の製造プロセスの工程を示し、特に、テンション付与部材がまだ設けられている状態を示す概略図である。
【図１５】図１４の詳細を示す概略図である。
【図１６】本発明のさらに他の実施形態の製造プロセスの工程を示し、特に、テンション付与部材がまだ設けられている状態を示す概略図である。
【図１７】本発明のさらに他の実施形態の製造プロセスの工程を示し、特に、テンション付与部材がまだ設けられている状態を示す概略図である。
【図１８】本発明にかかる車輪の他の実施形態を示す部分断面図である。
【図１９】図１８の車輪のリムの断面を示すと共に、該車輪の２つの構造部材についても部分的に描いた図である。
【発明を実施するための形態】
【００８１】
本発明のさらなる特徴および利点は、本発明の幾つかの好適な実施形態について、添付の図面を参照しながら行う説明より明らかとなる。
特に図１〜図４を参照すると、本発明の一実施形態におけるディスクホイール（レンチキュラーホイール）１０は、ハブ１２と、リム１４と、それぞれハブ１２とリム１４との間に延在し、予めテンションを付与された一対のディスク型構造部材（ディスク）１６；１８とを備える。
【００８２】
ディスク１６；１８は、後述する部分を除いて若干円錐台形に構成されている。
【００８３】
ハブ１２は、周知の構成に準じ、ハブ軸２２上に回転可能に取り付けられたハブ本体２０を含む。車輪１０の回転軸Ｚは、ハブ軸２２を通り、長手方向に延びる。
【００８４】
車輪１０の正中面Ｐは、ハブ軸２２の軸方向中間点及びリム１４のタイヤ連結溝２６の軸方向中間点において、回転軸Ｚと直交して延在する。
【００８５】
図示されるものでは、ディスクホイール１０は後輪である。この場合、ハブ１２は、さらに、周知の構成に準じてハブ軸２２上に回転可能に取り付けられたフリーホイールボディ２４を、正中面Ｐに対する第１の側（図面ではＡで示される側）に備えている。
【００８６】
フリーホイールボディ２４は、コグセット（図示せず）を取り付けるために設けられた、伝動機構部品である。
【００８７】
周知の構成に準じ、フリーホイールボディ２４は、一対のペダルクランクが一方の方向に回転することによって回転され、その回転をハブ本体２０に伝達するように、かつ、それらのペダルクランクが作動されていないときおよび／またはそれらのペダルクランクが反対の方向に作動されたときにはハブ本体２０をハブ軸２２周りの回転から開放するように構成されている。
【００８８】
フリーホイールボディ２４の存在により、ハブ本体２０の軸方向中心は、ハブ軸２２の中心にはない。言い換えれば、ハブ本体２０の軸方向中間点は、正中面Ｐ上に位置しておらず、むしろ、車輪１０の正中面Ｐに対する第１の側Ａとは反対側の第２の側（図面ではＢが付されている）に偏位している。
【００８９】
ハブ本体２０は、一対のフランジ２８；３０を有する。構造部材１６；１８は、リム１４と各フランジ２８；３０との間に延在する。フランジ２８；３０は、若干円錐台状の形状を有する。
【００９０】
フリーホイールボディ２４が存在するため、フランジ２８；３０の、正中面Ｐからの離間距離は、同一ではない。具体的には、第１の側Ａにおけるフランジ２８の正中面Ｐからの距離ＤAは、第２の側Ｂにおけるフランジ３０と正中面Ｐ間の距離ＤBよりも短い。
【００９１】
したがって、第１の側Ａにおいて、リム１４とハブ１２の第１のフランジ２８との間に延在する構造部材１６および第１のフランジ２８が有するキャンバー角αは、第２の側Ｂにおいてリム１４とハブ１２の第２のフランジ３０との間に延在する構造部材１８および第２のフランジ３０が有するキャンバー角βよりも小さい。なお、キャンバー角とは、半径方向断面視で構造部材１６；１８の円錐台部分と正中面Ｐとの間に形成される角度、すなわち、円錐台の半頂角の余角を意味する。
【００９２】
ディスクブレーキが連結された前輪の場合も、一方の側にブレーキディスクが設けられていることにより、正中面Ｐの両側でキャンバー角は相異なることになる。ディスクブレーキが連結された後輪の場合には、通常、フリーホイールボディ２４が占める空間はブレーキディスクが占める空間よりも大きいので、ブレーキディスクがフリーホイールボディと同じ側にあるか反対側にあるか（後述の図１８を参照のこと）にかかわらず、伝動機構側のキャンバー角が小さくなる。他方、前輪の場合には、フリーホイールボディがないので、ディスクブレーキ側のキャンバー角が小さくなる。
【００９３】
キャンバー角α，βが異なるということは、構造部材１６；１８が有する剛性が異なることを意味する。具体的には、キャンバー角が大きくなると接線方向（tangential direction）の剛性が増加し、キャンバー角が小さくなると半径方向の剛性が増加する。
【００９４】
しかし、フリーホイールボディ２４の存在により、またフリーホイールボディ２４と同じ側に取り付けられている場合にはブレーキディスクの存在にもより、あるいは前輪の場合には、この片側Ａにブレーキディスクが存在することにより、ハブ１２のフランジ２８と正中面Ｐ間の距離ＤAを一定の限度を超えて長くすることができない。
【００９５】
よって、本発明では、第１の側Ａの構造部材１６のキャンバー角αを極大化するため、特定の形状のリム１４が用意される。これについては、後ほど詳述する。
【００９６】
後述のように、リム１４の特定形状は、第１の側Ａにおけるディスク状構造部材１６の特定形状に対応するものであることが好ましい。
【００９７】
以下、本発明にかかるディスクホイール（レンチキュラーホイール）１０の製造方法を簡単に説明する。さらなる詳細については、前述の特許文献７を参照されたい。
【００９８】
まず、ハブ１２、リム１４、複数のスポーク３２、これに対応する複数のニップル３４および、場合により、センタリングワッシャ３６（図５及び図６）が用意される。スポーク３２は、ハブ１２とリム１４との間にさしわたされ、かつ、後で記載する事項を除いてはスポークドホイールを製造する場合と同様にして、ニップル３４及び場合によってはセンタリングワッシャ３６とによって、それぞれ固定される。スポーク３２、ニップル３４及びワッシャ３６が、テンション付与部材を構成する。
【００９９】
ハブ１２の２つのフランジ２８；３０には、スポーク３２用の座部４０が形成されていることが好ましい。スポークドホイールのハブでは、スポーク用の座部が通常フランジの相対向する面とは反対側の外表面に形成されるのに対し、座部４０はフランジ２８；３０における相対向する面に形成されている。座部４０およびスポーク３２は、公知の構成に準じ、スポーク３２が座部４０から螺脱又は脱落しないように保持され、且つニップル３４を締め付けることによってテンションを付与され得るように構成されている。
【０１００】
図５及び図６でより明確に見て取れるように、リム１４との接続部の端部において、各スポーク３２は、ニップル３４のステム４６の、ねじがきられた孔（雌ネジ孔）に連結するためのねじ部４２を有する。ニップル３４は、ねじ切りされていない円孔の形をとるリム１４の座部５０からニップル３４が抜けないように、スポーク３２の引張方向Ｘと対応するニップル３４のステム４６の長手方向に対し直交する方向にふくらみを有するヘッド４８を備えている。
【０１０１】
上述のように、ニップル３４とリム１４側の座部５０との間には、センタリングワッシャ３６が設けられていてもよい。これによって、スポーク３２は自然に適切なキャンバー角γ，δで配向することが可能となる。
【０１０２】
従来のスポークドホイールとも前述の特許文献７とも異なり、ニップル３４用の前記座部５０は、タイヤ連結溝２６に形成されている。
【０１０３】
リム１４は、実際、金属（典型的には、アルミニウム）又は複合材料からなる中空の環状の部材であり、タイヤ連結溝として構成された領域２６を半径方向外側に備えている。
【０１０４】
リム１４は、さらに、符号５２；５４が付された２つの側壁を含む。
【０１０５】
図示される例では、リム１４の前記領域２６は、チューブラータイヤ用に構成された壁部２６により形成されており、側壁５２；５４は、その壁部２６から半径方向内方に延びている。但し、これらの側壁は、周知の構成に準じて、前記壁部２６から半径方向内方と半径方向外方との両方に延びるものであってもよいし、インナーチューブタイヤ及びケーシング又はチューブレスタイヤと連結するために、壁部２６の半径方向外側で互いに向かって曲げられたものであってもよい。
【０１０６】
側壁５２；５４は、それぞれ、半径方向外側の制動領域５６；５８、および後述するディスクと連結する半径方向内側領域６０；６２を有し、これら２つの領域は、段差６４；６６を形成している。
【０１０７】
図示される例では、２つの側壁５２；５４は、スポーク３２挿通のための開口７０；７１が形成された半径方向内側壁（又は下部ブリッジ）６８により接続されている。
【０１０８】
２つの側壁５２；５４の形状については、後述する。
【０１０９】
図示されるように、２つの側壁５２；５４は、様々な部分で予期される機械適応力に応じて厚さが変化してもよい。複合材料からなるリム１４の場合、この様々な部分は、異なる数の、複合材料層により形成することができる。
【０１１０】
半径方向内側壁６８における開口７０；７１は、図示されるように均等に離間しており、ハブ１２の一方のフランジ２８に向かって延在するスポーク３２と他方のフランジ３０に向かって延在するスポーク３２に交互に用いられることが好ましい。
【０１１１】
但し、これは、必ずしも必須ではない。すなわち、均等に離間していない座部が設けられてもよいし（例えば、図１４〜図１７を参照のこと）、かつ／または、第１の側Ａにおけるスポークの数が第２の側Ｂにおけるスポークの数と異なってもよい。
【０１１２】
スポーク３２用の取付座部５０が正中面Ｐに配列する一方、挿通口７０；７１は前記正中面と平行な２つの平面に配列しており、第１の側Ａでリム１４とハブ１２のフランジ２８との間に延在するスポーク３２に対応する挿通口７０は第１の平面に配列し、第２の側Ｂでリム１４とハブ１２のフランジ３０との間に延在するスポーク３２に対応する挿通口７１は第２の平面に配列して、この第１の平面は、第２の平面よりも正中面に近いことが好ましい。
【０１１３】
チューブレスタイヤの場合、半径方向外側壁２６における前記座部５０は、後の処理工程において、例えば複合材料の帯体（図示せず）を該溝２６の底に接着するか又は充填することによって塞がれる。
【０１１４】
リム１４は、周知の構成に準じ、さらなる補強壁を含むものとされてもよい。
【０１１５】
好ましくは、ハブ１２は、図示のように、キャンバーを無視すれば、スポークがハブ１２とリム１４との間で半径方向に沿って延在するラジアル（半径方向）タイプのスポーク付用のものとされるが、タンジェンシャル（接線方向）タイプのスポーク付を行ってもよい。
【０１１６】
スポーク３２をリム１４とハブ１２とに接続する手段として、図示及び前述したものと異なる手段が設けられてもよい。
【０１１７】
製造方法に戻ると、好ましくは、リム１４には、スポーク３２を取り付ける前に、接着物質の塗布及び防食プライマーの塗布のための準備が施される。接着物質の塗布のための準備は、例えば、アルミニウム製のリムの場合には、アルミニウムに穴を開けるクロム酸浴を含む既知のＦＰＬ／ＰＰＡ法により行われる。
【０１１８】
スポーク３２がハブ１２とリム１４との間に延在するように設置されると、該スポーク３２にテンションが付与される。
【０１１９】
同一のハブ１２および同一のリム１４を備える従来のスポークドホイールの場合よりも好ましくは５％以上、より好ましくは２０％以上過剰なテンションが付与される。
【０１２０】
スポーク３２の使用は、最適なテンション付与を可能にする。この最適なテンションは、各種の局在的質量（金属製のリムの場合にはカレンダー加工された形材の端部同士の接合部および／またはタイヤインフレーションバルブ用の座部の近傍など）、ならびに意図的に形成されたり、および／または製造方法の結果生じ得る、リムの不均質部を考慮して決定される。
【０１２１】
強調すべき点として、ハブ１２のフランジ２８；３０における対向面に前記座部４０を形成することにより、従来のハブに比べてスポーク３２のキャンバー角γ，δを小さくすることができ、これにより、有利なことに、スポーク３２の応力は同じままでハブ１２とリム１４との間にテンションをより良好に付与することが可能な点が挙げられる。
【０１２２】
また、スポーク３２は、同一のハブ１２および同一のリム１４を備える従来のスポークドホイールの場合よりも、過剰の厚みを有し、従来のスポークに比べて延伸が小さくなり、
これによってハブ１２とリム１４との間により良好にテンションを付与することが可能となることが好ましい。しかも、スポーク３２の延伸を制限又は回避することにより、後述のように該スポーク３２を取り外した後、このスポーク３２を別の車輪１０の製造のために再利用することができる。さらに、断面が大きくなると、スポーク３２の前記ねじ部４２とニップル３４の孔の雌ねじとの接触面積が大きくなり、スポークの引張に対する強度が向上する。また、ねじ込みトルクを調べるのにトルク計が使い易くなる。
【０１２３】
スポーク３２にテンションを付与する際には、必要に応じて個々のスポーク３２のテンション付与を繰り返しながら車輪１０の芯合わせ及び円形度が監視され確実にされる。
【０１２４】
必要に応じて個々のスポーク３２のテンション付与を繰り返しつつ、リム１２および／またはハブ１４に、ハブ１２の軸心Ｚの方向への押圧、例えば０．５ｂａｒの押圧が印加されて、後述する構造部材１６；１８の接着工程時における前記車輪に対する応力をシミュレート（模擬）することが好ましい。このシミュレーション押圧は、例えば、そのような接着工程時に使用される空気圧式又は液圧式のシステムにより印加されるものであってもよいし、製造中のこの組立体を平面上に載置してリム１２および／またはハブ１４に重量をかけることによって印加されるものであってもよい。
【０１２５】
その後、中央の孔７２；７３が設けられた２つのディスクの構造部材１６；１８が、ハブ１２軸方向の両側の端部から前記ハブ１２に螺合され、接着物質（図示せず）を介してハブ１２のフランジ２８；３０及びリム１４の半径方向内側のへと該リム１４の半径方向内側の連結領域６０；６２に対し設置される。
【０１２６】
既述したように、ディスク１６；１８は、後述する環状の凹部又は立ち上がり部を除いて、各キャンバー角α，βで若干円錐台形状に構成されている。ディスク１６；１８は、リム１４の側壁５２；５４の連結領域６０；６２を出来る限り正確に段差６４；６６の箇所まで覆うような直径を有する。
【０１２７】
さらに詳しくは、ハブ１２のフランジ２８；３０の外表面および／またはリム１４の側壁５２；５４のディスク１６；１８と連結する領域６０；６２は、若干突出した突起（図示せず）を有することが好ましい。これによって、ディスク１６；１８のいくつかの点は突起に接する一方、ディスク１６；１８表面の大部分はフランジ２８；３０の表面及び側壁５２；５４の表面から一定の距離を取り、接着物質に適切な厚みを確保できる。例えば、そのような突起は、例えば、ハブ１２及びリム１４の軸心Ｚの周り全体に延びる周方向突起を含むものであってもよいいし、および／または複数の小さな突起からなるものであってもよい。突起は、例えば、０．１〜０．２ｍｍの高さを有し、これに対応する量の接着物質を確保し得るものであってもとい。また、ハブ１２のフランジ２８；３０は、余剰の接着物質が排出されるための半径方向に延びる溝（図示せず）を有することが好ましい。同様の溝が、リム１４に設けられてもよい。
【０１２８】
ディスク１６；１８は金属製であってもよいが、複合材料からなるものであることが好ましい。
【０１２９】
ディスク１６；１８は、図７及び図８に完全に概略的に示すように、それぞれ複数層の複合材料を含むことが好ましい。各層の構造繊維は、横糸方向に従って延びる繊維および該横糸方向と実質的に直交する縦糸方向に従って延びる繊維を有する、紡織繊維であることが好ましい。好ましくは、各ディスク１６；１８は、２つのこのような層７４，７６；７８，８０を含む。各ディスク１６；１８の層７４，７６；７８，８０の縦糸／横糸方向は、角度方向に所定の角度（好ましくは、４５°）オフセットしたものとされてもよい。この構成によれば、前記構造繊維は、車輪１０において複数の径／直径方向、及び複数の弦方向（すなわち、前記リムの直径上の反対位置はない一対の位置間に延びる方向）に従って延びる。
【０１３０】
また、各ディスク１６；１８は、構造繊維が車輪１０の半径方向となる方向に沿って延びる一方向の繊維である複合材料層の、複数の帯片（又はパッチ）８２；８３をさらに含むことが好ましい。一例として、図８には、第２の側Ｂのディスク１８に用いるＮ個のパッチ８３が示されており、上述の理由で、パッチの繊維は、半径方向に３６０°／Ｎ離間したＮ個の方向、およびそのＮ個の方向に隣接してそれと平行な方向に従って延びている。
【０１３１】
他方、図７には、第１の側Ａのディスク１６に用いる２×Ｎ個のパッチ８２が示されており、上述の理由で、パッチの繊維は、それぞれ半径方向に３６０°／Ｎ離間した２×Ｎ個の方向に従って、およびそのような２×Ｎ個の方向に隣接しそれと平行な方向に従って延びている。
【０１３２】
このようにして、車輪１０の第１の側Ａにおけるディスク１６は、車輪１０の第２の側Ｂにおけるディスク１８よりも大きな厚みを有する。
【０１３３】
これにより、キャンバー角α，βの違い（図４）に起因する剛性の違いを補償することができる。
【０１３４】
当然ながら、前記車輪の第１の側Ａにおける前記構造部材（又はディスク）１６のパッチ８２の数は、必ずしも前記車輪の第２の側Ｂにおける前記構造部材（又はディスク）１８のパッチ８３の数の２倍でなくてもよい。
【０１３５】
ディスク１６；１８における層及びパッチの構成として、他の様々な構成も可能である。例えば、一変形例として、各ディスク１６；１８は、横糸／縦糸方向が角度方向に１２０°オフセットした３つのこのような層を含むものとされてもよい。
【０１３６】
前述したように好ましくは複合材料からなるディスク１６；１８は、硬化／重合を生じた後も極めて薄いので、好ましくは、車輪１０の製造時の適切でない応力を避けるために最初は各アプリケータ（図示せず）に、例えば両面接着テープなどを用いて、取外し可能に設置固定されている。
【０１３７】
ディスク１６；１８とハブ１２のフランジ２８；３０及びリム１４の前記領域６０；６２との間に配置される接着物質は、二成分エポキシ樹脂であることが好ましい。
【０１３８】
処理される組立体は、接着物質が設けられた部分で、適切な加圧力（例えば、２０００Ｎ）のプレスにかけられる。例えば、一対の加圧リング（図示せず）をハブ１２の箇所に配すると共に、一対の加圧リング（図示せず）をリム１４の箇所に配してもよい。
【０１３９】
有利なことに、それら一対の加圧リング７８により印加される圧力は、ハブ１２とリム１４との間に存在し得るミスアライメントを考慮に入れながら、個別に調節することができる。
【０１４０】
特にリム１４が半径方向内側壁６８を含まない場合（後述する図１２を参照のこと）、加圧時にリム１４の側壁５２；５４が破壊されることを避けるために、側壁５２；５４間に膨張可能な袋体を一時的に挿入してもよい。
【０１４１】
この加圧は、適切な時間のあいだ（例えば、２４時間）維持される。その後、この組立体がプレスから取り出され、処理中の組立体は、前記接着物質が完全に硬化するまで適切な時間（例えば、２日）静置される。
【０１４２】
その後、ニップル３４のネジを部分的に螺脱させることによってスポーク３２のテンションが緩められ、その後、ディスク１６；１８のアプリケータが設置されている場合には、それらが取り外される。最後に、スポーク３２が完全に外されてリム１４から取り抜かれる。さらに、タイヤのタイヤバルブへのアクセスのための開口８４（図２）が２つのディスク１６；１８の一方に形成されることでディスクホイール１０の製造を完了する。
【０１４３】
なお、ハブ１２のフランジ２８；３０の対向面にスポーク３２用の座部４０が形成されていることから、ディスク１６；１８の存在にかかわらずスポーク３２をハブ１２から取り外すことが可能となる。
【０１４４】
ハブ１２とリム１４との間にテンション付与されたスポーク３２が設けられているときにディスク１６；１８をこれらハブ１２とリム１４とに接着し、その後でそのテンションを解除することにより、ディスク１６；１８は引張応力を維持するので、従来のスポークドホイールにおけるテンション付与されたスポークに代わる構造的役割を獲得する。
【０１４５】
前述したような半径方向に従って延びる構造繊維が、このような構造的役割の発揮に大きく寄与する。
【０１４６】
半径方向に従って延びる構造繊維は、車輪１０の側方強度に寄与し、すなわち、地面の凸凹を吸収したり飛び跳ねたり、あるいは単に曲がったり、運転者がペダル上に立ったり自転車が左右に傾いたまま前進したりすることによりリム１４及びハブ１２が偏心する傾向にあるときの荷重などの、軸外位置から軸方向に働く荷重に対する耐久性に寄与する。
【０１４７】
前述したような弦方向に従って延びる構造繊維は、車輪１０のねじれ強度、すなわち、ペダル漕ぎ時やディスクブレーキを用いた制動状態や加速状態のような、リム１４がハブ１２に対して相対回転する傾向にあるときに接線方向に働く荷重に対する耐久性に貢献する。
【０１４８】
車輪１０の側方強度は、テンション付与されたスポークを具備した中間状態から最終状態にかけて増加する。本願の出願人は、この増加が、応力付与済みの各ディスク１６；１８が無限小の距離で離間して且つこれにより該ディスクの表面全体にわたって応力を分散する無限数のスポークのように振る舞うことに起因すると考える。
【０１４９】
他方、スポーク３２用の前記座部がハブ１２のフランジ２８；３０における互いに対向する面ではなく該フランジ２８；３０における外表面で開口するものとされる場合、それら座部自体はスポーク３２の取外しのためにアクセス可能であることについては維持されなければならないので、好ましくは、ディスク１６；１８が、それに応じて幅広とされた孔７２；７３を有するものとされ、かつ、そのため、スポーク３２を外して取り抜く工程の後に、該スポーク用のそのような座部を覆うためにハブ１２の２つのフランジ２８；３０の外表面へと２つの略扁平な環状のカバー（図示せず）を接着する追加の工程を設けてもよい。
【０１５０】
図５及び図６に戻ると、出願人は、ハブ１２とタイヤ連結溝２６の間に延在するテンション付与部材３８によってリム１４を一時的にハブ１２に向かって加圧（圧縮）することにより、導論部分で述べた顕著な利点が得られると考慮している。
【０１５１】
図９に、本発明の第１の実施形態における車輪リム１４の断面を詳細に示す。図には２つの構造部材１６；１８の周縁領域も描かれている。
【０１５２】
上述のように、図９に示すリム１４は、チューブラータイヤと連結するよう構成された、半径方向外側のタイヤ連結領域（半径方向外側壁）２６、半径方向外側壁２６からハブ１２に向かって延びる第１の側壁５２及び第２の側壁５４、ならびに側壁５２；５４間に延びる半径方向内側壁（下部ブリッジ）６８を備える。
【０１５３】
前記リムの第２の側壁５４は、半径方向外側の制動領域５８、および構造部材１８と連結する半径方向内側領域６２を有し、この２つの領域が、段差６６を形成している。具体的には、段差６６の立ち上がりの高さｔ2は極めて小さく、部材１８の厚さ及び接着物質膜の厚さに実質的に同等である。したがって、構造部材１８が設置されると、該構造部材１８は制動領域５８と実質的に面一となる。
【０１５４】
構造部材１８と連結する、リム１４の第２の側壁５４の前記領域６２は、車輪１０の半径方向断面視でキャンバー角β（図４）を形成する頂角を有する円錐台状の形をとる。
【０１５５】
キャンバー角βは、円錐台の半径を表す正中面Ｐと該円錐台の斜辺との間に形成される角度である。
【０１５６】
リムの第１の側壁５２も、半径方向外側の制動領域５６、および構造部材１６と連結する半径方向内側領域６０を有し、この２つの領域は、段差６４を形成している。
【０１５７】
具体的には、段差６４の立ち上がりの高さｔ1は極めて小さく、構造部材１６の厚さ及び接着物質膜の厚さに実質的に同等である。したがって、構造部材１６が設置されると、該構造部材１６は制動領域５６と実質的に面一となる。
【０１５８】
ただし、構造部材１６と連結する、リム１４の第１の側壁５２の前記領域６０は、円錐台形からははなれた形状をとる。
【０１５９】
より好ましくは、構造部材１６と連結する、リム１４の第１の側壁５２の前記領域６０は、少なくとも２点における該連結領域６０の法線が、例えば図示される法線ｎ1，ｎ2のように、第２の側壁５４に面さない、該連結領域６０の外表面の側で収束するように円錐台形状から逸脱している。
【０１６０】
したがって、構造部材１６と連結する、第１の側壁５２の前記領域６０は、全体として凹形である。
【０１６１】
構造部材１６と連結する、第１の側壁５２の上記領域は、その半径方向内側領域８６、すなわち、車輪１０の回転軸Ｚに近い半径方向位置において、該車輪の半径方向断面視でキャンバー角α（図４）を形成する頂角を有する円錐台の表面に対応する。
【０１６２】
構造部材１６と連結する、第１の側壁５２の上記領域６０は、その半径方向外側領域８８、すなわち、回転軸Ｚから遠く且つ制動領域５６に近い半径方向位置において、凹形の外表面（第１の側壁５２において第２の側壁５４に面していない面）を有するように湾曲している。
【０１６３】
具体的には、第１の側壁５２の連結領域６０における半径方向外側領域８８の曲率半径は一定である。
【０１６４】
第１の側壁５２の連結領域６０の、正中面Ｐからの距離は、回転軸Ｚからの半径方向距離が減少するにつれてまず数値ｄ1から最小値ｄminに減少してから数値ｄ2に増加する。
【０１６５】
好ましくは、そのような距離は、前記円錐台形状の表面のこの部位を形成するように前記最小値ｄminから前記数値ｄ2に一様に増加する。
【０１６６】
好ましくは、回転軸Ｚからの半径方向距離最小の位置における正中面Ｐからの距離を示す前記数値ｄ2は、回転軸Ｚからの半径方向距離最大の位置（制動領域５６と構造部材に連結する領域６０との境界の半径方向位置）における、連結領域６０の正中面Ｐからの距離を示す前記距離ｄ1よりも短い。
【０１６７】
第１の側壁５２の連結領域６０の、正中面Ｐからの距離は、回転軸Ｚからの半径方向距離最大の位置、すなわち、制動領域５６と構造部材に連結する領域６０との境界の半径方向位置において最大値ｄ1となる。
【０１６８】
第２の側壁５４の連結領域６２の、正中面Ｐからの距離は、回転軸Ｚからの半径方向距離が減少するにつれて、回転軸Ｚからの半径方向距離最大の位置、すなわち、制動領域５８と構造部材に連結する領域６２との境界の半径方向位置における最小値ｄ3から、回転軸Ｚからの半径方向距離最小の位置における最大値ｄ4まで増加する。
【０１６９】
上記の距離は、円錐台形の表面を形成するように、最小値ｄ3から最大値ｄ4へと一様に増加することが好ましい。
【０１７０】
好ましくは、回転軸Ｚから半径方向にはなれたほぼすべての位置において、第１の側壁５２の連結領域６０の正中面Ｐからの距離は、第２の側壁５４の連結領域６２の正中面Ｐからの距離よりも短い。但し、回転軸Ｚからの半径方向距離が、制動領域５６；５８とこれら連結領域６０；６２との境界に対応する位置は除く。すなわち、ｄ1とｄ3とは等しいが、第１の側Ａにおけるｄmin、ｄ2および中間位置における距離は、第２の側Ｂにおけるｄ4および中間位置における距離よりも短いことが好ましい。
【０１７１】
リム１４の半径方向内側壁６８の曲率半径は、第１の側壁５２側の曲率半径Ｒ1が、第２の側壁５４側の曲率半径Ｒ2よりも短い。
【０１７２】
これらの曲率半径Ｒ1，Ｒ2は、適宜選択される。前記リムの半径方向内側領域はその曲率半径Ｒ1，Ｒ2の数値が大きいほど、比較的丸みを帯びた断面を有し、複合材料の繊維がより良好に作用する。他方、前記リムの半径方向内側壁の曲率半径の数値が小さいほど、断面がより扁平な形状をとり、より良好な側方強度を有する。
【０１７３】
第１のディスク構造部材１６の周縁領域は、第１の側壁５２の連結領域６０形状と適合する形状を有する。
【０１７４】
したがって、第１のディスクの構造部材１６は、その周縁領域に、立ち上がり部９０を有する。
【０１７５】
環状に延びるこのような立ち上がり部９０は、図１〜図４にも見ることができる。
【０１７６】
当業者は理解するであろうが、有利なことに、構造部材１６のこの形状は、該構造部材１６の剛性を向上させる。
【０１７７】
以下では、本発明の他の実施形態について説明する。第１の実施形態と類似する構成／構成要素には、参照符合の同様の数字に１００ずつ加算した参照符号が付されている。
【０１７８】
図１０に、本発明の第２の実施形態における車輪リム１１４の断面を詳細に示す。図には２つの構造部材１１６，１１８の周縁領域も描かれている。
【０１７９】
この実施形態は、リム１１４の半径方向内側壁１６８の、第１の側壁１５２の側の曲率半径Ｒ3が第２の側壁１５４の側と同じである点で、前述の実施形態と異なっている。したがって、複合材料の繊維は、リム１１４の半径方向内側領域の２つの縁部で均等に作用する。
【０１８０】
図１１に、本発明の第３の実施形態における車輪リム２１４の断面を詳細に示す。図には２つの構造部材２１６，２１８の周縁領域も描かれている。
【０１８１】
図９の実施形態と同じく、リム２１４の半径方向内側壁２６８の曲率半径は、第１の側壁２５２側の曲率半径Ｒ4が、第２の側壁２５４側の曲率半径Ｒ5よりも短い。但し、曲率半径Ｒ4，Ｒ5は曲率半径Ｒ1，Ｒ2と異なっている。
【０１８２】
第２の側壁２５４は、前述した他の実施形態のものと同じである。
【０１８３】
他方で、第１の側壁２５２の形状は、図９及び図１０に示す実施形態の第１の側壁５２，１５２の形状とは異なっている。
【０１８４】
第１の側壁２５２は、半径方向外側の制動領域２５６、前記構造部材と連結する半径方向内側領域２６０、およびそれらの間の接続領域２９２を有する。
【０１８５】
第１の側壁２５２の前記構造部材と連結する領域２６０は、円錐台状であり、キャンバー角α（図４）を構成する。
【０１８６】
図示されるように、接続領域２９２は、構造部材に連結する領域２６０よりも大きな壁厚を有することが好ましい。接続領域２９２には構造部材２１６が接着されないので、接続領域２９２の厚さは、構造部材２１６が連結領域２６０に接着されたときに該連結領域２６０で総合的に得られる厚さと実質的に同等とならねばならない。
【０１８７】
接続領域２９２は、構造部材に連結する領域２６０とは逆向きの円錐台形状であり、すなわち、この形の元となる円錐の頂点は図１１の左側に位置している。
【０１８８】
このような接続領域２９２により、第１の側壁２５２の連結領域２６０の、回転軸Ｚから半径方向で最外側の位置は、第２の側壁２５４の連結領域２６２の、回転軸Ｚから半径方向で最外側の位置よりも半径方向内方である。したがって、２つの構造部材２１６；２１８の半径方向広がりは相異なる。
【０１８９】
リム２１４の第１の側壁２５２は、少なくとも２点における法線が、例えば図示される法線ｎ3，ｎ4のように、第１の側壁２５２の外表面の側（第２の側壁２５４に面さない側）で収束するように、全体的に円錐台形状から逸脱している。
【０１９０】
したがって、第１の側壁２５２は全体として凹形である。
【０１９１】
第１の側壁２５２の連結領域２６０の、正中面Ｐからの距離は、回転軸Ｚからの半径方向距離が減少するにつれて数値ｄ5から数値ｄ6へと、（好ましくは一様に）増加する。
【０１９２】
好ましくは、回転軸Ｚからの半径方向距離最小の位置における、正中面Ｐからの距離を示す値ｄ6は、回転軸Ｚからの半径方向距離最大の位置、すなわち、接続領域２９２と前記構造部材と連結する前記領域２６０との境界の半径方向位置における、正中面Ｐからの連結領域２６０の距離ｄ5よりも短い。
【０１９３】
好ましくは、第１の側壁２５２の連結領域２６０の、正中面Ｐからの距離は、第２の側壁２５４の連結領域２６２の、正中面Ｐからの距離よりも、回転軸Ｚからの半径方向距離全ての位置において短い。すなわち、第１の側Ａにおけるｄ5、ｄ6および中間位置での距離は、第２の側Ｂにおけるｄ3、ｄ4および中間位置での距離よりも短い。
【０１９４】
第１のディスクの構造部材２１６の周縁領域は、第１の側壁２５２の連結領域２６０の形状と適合する形状を有する。
【０１９５】
したがって、第１のディスクの構造部材２１６は、その該第１のディスクの構造部材２１６の周縁領域に、いかなる立ち上がり部も持たない。
【０１９６】
図１２に、本発明の第４の実施形態における車輪リム３１４の断面を詳細に示す。図には２つの構造部材３１６；３１８の周縁領域も描かれている。
【０１９７】
図１２に示すリム３１４は、図９に示す実施形態と、半径方向内側壁（又は下部ブリッジ）が設けられていない点で異なる。
【０１９８】
したがって、有利なことに、このリム３１４は軽量である。
【０１９９】
図１３に、本発明の第５の実施形態における車輪リム４１４の断面を詳細に示す。図には２つの構造部材４１６，４１８の周縁領域も描かれている。
【０２００】
リム４１４は、チューブラータイヤの連結用に構成された半径方向外側のタイヤ連結領域（又は半径方向外側壁）４２６、半径方向外側壁４２６から前記ハブに向かって延びる第１の側壁４５２及び第２の側壁４５４、ならびに側壁４５２；４５４間に延びる半径方向内側壁（下部ブリッジ）４６８を有する。
【０２０１】
このリムの第２の側壁４５４は、前述した他の実施形態のものと同様の構成をとる。
【０２０２】
このリムの第１の側壁４５２も、半径方向外側の制動領域４５６、および構造部材４１６と連結する半径方向内側領域４６０を有し、この２つの領域が段差４６４を形成している。
【０２０３】
リムの第１の側壁４５２において、構造部材４１６と連結する領域４６０は、円錐台形からはなれた形状を有する。
【０２０４】
第１の側壁４５２において、構造部材４１６と連結する領域４６０は、その半径方向内側領域４８６、すなわち、車輪の回転軸Ｚに近い半径方向位置において、（図１３からはあまり明確でないが）車輪の半径方向断面視でキャンバー角α（図４）を形成する頂角を有する円錐台形の表面に対応するものとされる。
【０２０５】
第１の側壁４５２において、構造部材４１６と連結する領域４６０は、回転軸Ｚからみたその半径方向中間領域４９４において外向きに凸である。すなわち、中間領域４６０の少なくとも２点において、連結領域４６０の法線は、例えば図示される法線ｎ5，ｎ6のように発散する。
【０２０６】
第１の側壁４５２において、構造部材４１６と連結する領域４６０は、回転軸Ｚからみたその半径方向外側領域４８８において外向きに凹である。すなわち、半径方向外側領域４８８の少なくとも２つの点において、連結領域４６０の法線は、例えば図示される法線ｎ7，ｎ8のように、該連結領域４６０の外表面側（第２の側壁４５４に面していない側）で収束している。
【０２０７】
したがって、第１の側壁４５２において、前記構造部材と連結する領域４６０は、凹部４９６を有する。
【０２０８】
具体的には、第１の側壁４５２の連結領域４６０における凹部４９６の曲率半径Ｒ6は一定である。
【０２０９】
第１の側壁４５２の連結領域４６０の、正中面Ｐからの距離は、回転軸Ｚからの半径方向距離が減少するにつれてまず数値ｄ7から「負」の数値（すなわち、連結領域４６０が、正中面Ｐの反対側に位置する）ｄ8に減少してから、数値ｄ9に増加した後、最終的に回転軸Ｚからの半径方向距離最小の位置における数値ｄ10へと減少する。
【０２１０】
好ましくは、回転軸Ｚからの半径方向距離最小の位置における、正中面Ｐからの距離を示す数値ｄ10は、この連結領域４６０の、回転軸Ｚからの半径方向距離大の位置、すなわち、制動領域４５６と、構造部材と連結する領域４６０との境界の半径方向位置における、正中面Ｐからの前記距離ｄ7よりも短い。
【０２１１】
好ましくは、第１の側壁４５２の連結領域４６０の、正中面Ｐからの距離は、回転軸Ｚからの半径方向距離大の位置、すなわち、制動領域４５６と構造部材に連結する領域４６０との境界の半径方向位置において最大値ｄ7をとる。
【０２１２】
好ましくは、回転軸Ｚからの半径方向距離が全ての位置（半径方向に離れた全ての位置）において、第１の側壁４５２の連結領域４６０の、正中面Ｐからの距離は、第２の側壁４５４の連結領域４６２の、正中面Ｐからの距離よりも短い。但し、回転軸Ｚからの半径方向距離が、制動領域４５６；４５８と、連結領域４６０；４６２の境界にあたる位置をのぞく。すなわち、ｄ7とｄ3とは等しいが、第１の側Ａにおけるｄ8、ｄ9、ｄ10および中間位置での距離は、第２の側Ｂにおけるｄ4および中間位置での距離よりも短い。
【０２１３】
図１３の実施形態のリム４１４の半径方向内側壁４６８は、図９の実施形態の半径方向内側壁に対応する構成を有する。
【０２１４】
第１のディスクの構造部材４１６の周縁領域は、第１の側壁４５２の連結領域４６０の周縁領域の形状に適合する形状を有する。
【０２１５】
したがって、第１のディスクの構造部材４１６は、その周縁領域に、凹部４９８を有する。
【０２１６】
当業者には明白であるが、かかる構造部材４１６の形状は、構造部材４１６の剛性を向上させる。
【０２１７】
図１４及び図１５に、本発明にかかるスパイダーホイール５１０の製造プロセスの工程、つまり、ディスクが一対のスパイダーホイールタイプの構造部材５１６；５１８に置き換えられた一実施形態に関する製造プロセスの工程を示す。この製造方法は前述したものと同様であるが、２つのスパイダーホイールタイプの構造部材５１６；５１８は、スパイダーレッグ５２３；５２５が対応する半径方向位置となり、互いに対向するように設置される。ただし、２つのスパイダーホイールタイプの部材５１６；５１８のスパイダーレッグ５２３；５２５をずらして、車輪５１０におけるスパイダーレッグの数を２倍にすることも可能である。
【０２１８】
また、図１４から分かるように、スパイダーホイールタイプの部材５１６；５１８のスパイダーレッグ５２３；５２５が設置される位置には、製造過程では、一群のスポーク５３２のみが設けられる。その後、スポーク５３２は、車輪５１０の最終完成品から取り外される。
【０２１９】
スパイダーホイールタイプの部材５１６；５１８は、若干円錐台状の表面の一部をなす表面に従い、適切なキャンバー角α，β（図４）で構成された半径方向内側部位を有する。
【０２２０】
この場合、図示される例では伝動機構部品（前記フリーホイールボディ）を備える、第１の側Ａの、構造部材５１６の各スパイダーレッグ５２３；５２５は、円弧に沿って延びる立ち上がり部５９０をそなえ、構造部材５１６全体としては、断続的な立ち上がり部を有する。
【０２２１】
その他の点では、スパイダーレッグ５２３；５２５は、実質的に二次元状（平面状）である。
【０２２２】
代替的な一実施形態では、前記立ち上がり部が、例えば図１３の実施形態と同様に、断続的な凹部により置き換えられていてもよい。
【０２２３】
図１６に、本発明にかかる他のスパイダーホイール６１０の製造プロセスの工程を示す。この方法では、各スパイダーホイールタイプの構造部材６１６；６１８は実質的二次元状（平面状）ではなく、むしろ円錐台の凹面方向に（すなわち、車輪の正中面の方向に）曲げられた縁部６２７；６２９を有する点、さらに、該２つのスパイダーホイールタイプの部材６１６；６１８のスパイダーレッグ６２３；６２５が対応する半径方向位置において互いに対向して配置されたとき、それら縁部６２７；６２９が互いに繋がって全体として閉じられたスパイダーレッグを形成するように構成及び寸法設計されている点で、図１４の実施形態とは異なっている。
【０２２４】
この場合、スパイダーホイールタイプの部材６１６；６１８の縁部は、通常なり得るような、尖った形を避けることができる。
【０２２５】
図１６でも、第１の側Ａにおけるスパイダーホイールタイプの構造部材６１６の各スパイダーレッグ６２３は、円弧に沿って延びる立ち上がり部６９０を備え、構造部材６１６全体としては、断続的な立ち上がり部を備えている。
【０２２６】
その他の点に関しては、スパイダーホイールタイプの構造部材６１６；６１８は、実質的に二次元状（平面状）である。
【０２２７】
図１７に、本発明にかかる他のスパイダーホイール７１０の製造プロセスの工程を示す。この製造方法は、各スパイダーホイールタイプの構造部材７１６；７１８がスパイダーレッグ７２３；７２５の端部に環状の部位７３１；７３３を有し、リム７１４との接着面積が増加している点で図１４の実施形態と異なっている。環状の部位７３１；７３３の代わりに、各スパイダーレッグ７２３；７２５の半径方向外側の端部に、互いに繋がらない幅広の部位が設けられてもよい。
【０２２８】
上記の環状部位は、図１６の閉じられたスパイダーレッグの実施形態にも設けられてよい。
【０２２９】
図１４〜図１７の実施形態では５個のスパイダーレッグが示されているが、スパイダーレッグの数は、別の数であってもよい。
【０２３０】
図１４〜図１７の実施形態では、ラジアル（半径方向）スポーキングのスポーク５３２，６３２，７３２が示されているが、これに代えて、スパイダーホイールの場合にもタンジェンシャル（接線方向）スポーキングが用いられてよい。ただし、スポーク５３２，６３２，７３２は、使用後に、車輪の完成品５１０，６１０，７１０から取り外される。
【０２３１】
図１８は、ディスクブレーキを備える自転車用に構成されたディスクホイール（レンチキュラーホイール）タイプの車輪８１０を示す概略部分断面図である。
【０２３２】
ハブ８１２は、ブレーキディスク８３９を保持する。図示される例では、ブレーキディスク８３９は、伝動機構のスプロケットを保持するフリーホイールボディ８２４が取り付けられる車輪８１０の第１の側Ａとは反対側の、第２の側Ｂに取り付けられている。
【０２３３】
ブレーキディスク８３９及び該ブレーキディスク８３９をハブ８１２に固定するための部材（図示せず）は、ハブ軸８２２に沿って所定の空間を占めるが、図示される構成においてブレーキディスク８３９が占める空間は、フリーホイールボディ８２４が占める空間よりも小さい。したがって、この場合も、ハブ８１２のフランジ８２８の、正中面Ｐからの距離ＤA1は、ハブ８１２のフランジ８３０と正中面Ｐ間の距離ＤB1よりも短い。
【０２３４】
図示しないが、ブレーキディスク８３９が後輪のフリーホイールボディ８２４と同じ側（本明細書において第１の側Ａと称される側）に取り付けられる場合にも、その側におけるハブフランジ８２８が、正中面Ｐからの距離がより短ハブフランジとなる。
【０２３５】
図示しないが、前輪の場合には、前記フリーホイールボディが設けられていないので、正中面Ｐからの距離がより短いフランジは、ブレーキディスクを保持する側（本明細書において第１の側Ａとして示される側）のハブのランジとなる。
【０２３６】
したがって、これらのどの場合にも、前記車輪の２つの側において、キャンバー角が異なるという問題があるが、これは本発明では、前記特定の構成のリムにより解決される。
【０２３７】
図１８及び図１９に示すリム８１４は、制動がブレーキディスク８３９で行われることから半径方向外側領域８５６；８５８が制動領域を提供する必要がなく、それらの半径方向の広がりが短縮されている点だけで図９のリムと異なっている。
【０２３８】
図１９には、２つの構造部材８１６；８１８の周縁領域も描かれている。
【０２３９】
当業者であれば、ディスクブレーキを備えた車輪の場合にも、図１０〜図１３のリムの形態と同様のリムの形態が可能であるが、その半径方向外側領域１５６；１５８，２５６；２５８，３５６；３５８，４５６；４５８は制動領域を設けるように構成はされないことを理解するであろう。
【０２４０】
しかしながら、ハブ、リムおよびスポークは、すでに図示された各種の実施形態と実質的に異なるものであってもよいことは指摘しておきたい。
【０２４１】
また、どの実施形態においても、前記リムの半径方向外側領域は、チューブラータイヤと異なる種類のタイヤ用に構成されてもよい。
【０２４２】
他の実施形態では、前述した特許文献７に記載されたものと同じく、スポーク用の前記座部は、リム１４の半径方向内側壁（又は下部ブリッジ）に形成されたものとしてもよく、これらに対向するニップル締付け工具の挿通用の開口は、半径方向外側壁（又は上ブリッジ）に形成されたものとされてもよい。
【０２４３】
他の実施形態では、スポーク、ニップル及びセンタリングワッシャと異なるテンション付与部材を使用してもよい。本発明にかかる製造方法の保護範囲外になるが、リムを半径方向外側からハブの軸心に向かって該リムの円周に沿って加圧し得る装置を使用してもよい。この場合、リム及びハブにおける、スポーク用の前記座部、さらには、リムにおける前記開口を省略することができ、直接チューブレスタイヤを設置することが可能となる。
【０２４４】
また、ディスクの構造部材の場合には、製造工程中に、ハブ及びリムの円周全体に沿ってスポークを配置することに代えて、一群のスポークをその円周に沿って離間した複数の位置にスポークの集まりのみを設けてもよい。
【０２４５】
逆に、スパイダーホイールタイプの構造部材の場合に、製造工程中に、ハブ及びリムの円周全体に沿ってスポークを配置してもよい。
【０２４６】
これまでに、各種発明態様の様々な実施形態を説明してきたが、本発明の範疇から逸脱しない範囲でさらなる変更が施されてもよい。各種構成要素の形状および／または寸法および／または位置および／または向きが変更されてもよい。一つの構成要素の機能が、複数の構成要素によって実行されるものとして変更されてもよいし、その逆も然りである。図面において互いに直接接続または直接接触している構成要素間には、介在する構造が存在していてもよい。また、ある図面に示された詳細および／またはある図面若しくはある実施形態を参照しながら詳述した内容は、別の図面または別の実施形態にも適用可能である。また、同じ図面に示された詳細の全てまたは同じ文脈で説明されている詳細の全てが、必ずしも同じ実施形態内に存在していなければならないわけではない。単独で若しくは他の構成との組合せで従来技術に照らして革新的であることが判明した構成又は態様については、本明細書において革新的であると明示されているものとは別に、それら自体も革新的であると記載されているものと見なされるべきである。
【符号の説明】
【０２４７】
１０，５１０，６１０，７１０，８１０    車輪
１２，５１２，６１２，７１２，８１２    ハブ
１４，１１４，２１４，３１４，４１４，５１４，６１４，７１４，８１４    リム
２６，１２６，２２６，３２６，４２６，５２６，６２６，７２６，８２６    タイヤ連結領域
５２，１５２，２５２，３５２，４５２，５５２，６５２，７５２，８５２    第1の側壁
５４，１５４，２５４，３５４，４５４，５５４，６５４，７５４，８５４    第２の側壁
１６，１１６，２１６，３１６，４１６，５１６，６１６，７１６，８１６；１８，１１８，２１８，３１８，４１８，５１８，６１８，７１８，８１８    構造部材
６８，１６８，２６８，４６８，５６８，６６８，７６８，８６８    半径方向内側壁
Ｒ1，Ｒ2，Ｒ3，Ｒ4    曲率半径
５６，１５６，２５６，３５６，４５６；５８，１５８，２５８，３５８，４５８  制動領域
２６０  半径方向内側領域
２９２  接続領域
８８，１８８，３８８，４８８，８８８  半径方向外側領域
４９８  凹部
９０，１９０，３９０，５９０，６９０，７９０，８９０  立ち上がり部
３８  テンション付与部材
７０，７１  挿通口
Ｚ    回転軸
Ｐ    正中面
【図１】
2017206233.tif 000003
【図２】
2017206233.tif 000004
【図３】
2017206233.tif 000005
【図４】
2017206233.tif 000006
【図５】
2017206233.tif 000007
【図６】
2017206233.tif 000008
【図７】
2017206233.tif 000009
【図８】
2017206233.tif 000010
【図９】
2017206233.tif 000011
【図１０】
2017206233.tif 000012
【図１１】
2017206233.tif 000013
【図１２】
2017206233.tif 000014
【図１３】
2017206233.tif 000015
【図１４】
2017206233.tif 000016
【図１５】
2017206233.tif 000017
【図１６】
2017206233.tif 000018
【図１７】
2017206233.tif 000019
【図１８】
2017206233.tif 000020
【図１９】
2017206233.tif 000021
【外国語明細書】
2017206233000001.pdf
2017206233000002.pdf
2017206233000003.pdf
2017206233000004.pdf